【手続補正書】
【提出日】平成17年4月11日(2005.4.11)
【手続補正１】
【補正対象書類名】明細書
【補正対象項目名】特許請求の範囲
【補正方法】変更
【補正の内容】
【特許請求の範囲】
【請求項１】
波長λの光源と、前記光源からの光束を光情報記録媒体に結像することで情報の記録及び／又は再生を行なうようになっている対物レンズと、を有する光ピックアップ装置用の対物レンズにおいて、
前記対物レンズは単玉レンズであり、
前記対物レンズの無限物体での焦点距離ｆ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
2003015031.tif 000001
前記光ピックアップ装置全体が２５℃から３０℃温度上昇した時の前記対物レンズの収差をδＷｔｅｍｐ、対物レンズの像高Ｙ＝０．０２ｍｍにおける収差をδＷｈｅｉｇｈｔとした場合に、
2003015031.tif 000002
であることを特徴とする光ピックアップ装置用の対物レンズ。
【請求項２】
前記対物レンズはプラスチック材料で構成されることを特徴とする請求項１に記載の光ピックアップ装置用の対物レンズ。
【請求項３】
前記対物レンズは両面非球面で構成されることを特徴とする請求項１又は２に記載の光ピックアップ装置用の対物レンズ。
【請求項４】
前記対物レンズにおいて、光情報記録媒体側の前記開口数ＮＡ、前記光源の波長λ、温度１℃上昇時の対物レンズ屈折率の変化量ｄｎ／ｄＴ、及び結像倍率ｍの値が、それぞれ以下の式を満たすことを特徴とする請求項１乃至３のいずれかに記載の光ピックアップ装置用の対物レンズ。
2003015031.tif 000003
【請求項５】
前記対物レンズの軸上厚さｄが、
０．４ ＜ ｄ／ｆ ＜ １．５                                  （１０）
を満たすことを特徴とする請求項１乃至４のいずれかに記載の光ピックアップ装置用の対物レンズ。
【請求項６】
波長λの光源と、前記光源からの光束を光情報記録媒体に結像することで情報の記録及び／又は再生を行うようになっている対物レンズと、を有する光ピックアップ装置用の対物レンズにおいて、
前記対物レンズは単玉レンズであり、
前記対物レンズの無限物体での焦点距離ｆ、前記対物レンズの軸上厚さｄ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
2003015031.tif 000004
前記光ピックアップ装置全体が２５℃から３０℃温度上昇した時の前記対物レンズの収差をδＷｔｅｍｐ、対物レンズの像高Ｙ＝０．００２ｍｍにおける収差をδＷｈｅｉｇｈｔとした場合に、
2003015031.tif 000005
であることを特徴とする光ピックアップ装置用の対物レンズ。
【請求項７】
波長λの光源と、前記光源からの光束を光情報記録媒体に結像することで情報の記録及び／又は再生を行うようになっている対物レンズと、を有する光ピックアップ装置用の対物レンズにおいて、
前記対物レンズは単玉レンズであり、
前記対物レンズの無限物体での焦点距離ｆ、前記対物レンズの軸上厚さｄ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
2003015031.tif 000006
前記光ピックアップ装置全体が２５℃から３０℃温度上昇した時の前記対物レンズの収差をδＷｔｅｍｐ、対物レンズの像高Ｙ＝０．００２ｍｍにおける収差をδＷｈｅｉｇｈｔとした場合に、
2003015031.tif 000007
であることを特徴とする光ピックアップ装置用の対物レンズ。
【請求項８】
前記光源波長が長波長側にシフトした際に、球面収差をアンダーに補正する回折構造を設けたことを特徴とする請求項７に記載の光ピックアップ装置用の対物レンズ。
【請求項９】
以下の式を満足することを特徴とする請求項８に記載の光ピックアップ装置用の対物レンズ。
2003015031.tif 000008
【請求項１０】
前記対物レンズの光源側の面の近軸曲率半径をｒ１、前記対物レンズの波長λにおける屈折率をｎとすると
０．３ ＜ ｒ１／（ｎ（１−ｍ）ｆ） ＜ ０．５                （２８）
を満たすことを特徴とする請求項１乃至９のいずれかに記載の光ピックアップ装置用の対物レンズ。
【請求項１１】
前記対物レンズの光源側の面は、前記開口数ＮＡの最外光線が交わる位置から光軸に対して外方に、前記対物レンズのふち厚が厚くなるような繋ぎ領域を設けたことを特徴とする請求項１乃至１０のいずれかに記載の光ピックアップ装置用の対物レンズ。
【請求項１２】
前記対物レンズの光源側の面は、前記開口数ＮＡの最外光線が交わる位置よりも光軸に対して外方の位置の更に外側に、前記対物レンズのふち厚が厚くなるような繋ぎ領域を設けたことを特徴とする請求項１乃至１１のいずれかに記載の光ピックアップ装置用の対物レンズ。
【請求項１３】
前記繋ぎ領域は、光軸方向に段差を設けたことを特徴とする請求項１１又は１２に記載の光ピックアップ装置用の対物レンズ。
【請求項１４】
前記繋ぎ領域の光軸に直交する面に対する角度と、前記繋ぎ領域を設けない場合における非球面形状の光軸に直交する面に対する角度との差が２０度以内であることを特徴とする請求項１１乃至１３のいずれかに記載の光ピックアップ装置用の対物レンズ。
【請求項１５】
波長λの光源と、前記光源からの光束を光情報記録媒体に結像することで情報の記録及び／又は再生を行なうようになっている対物レンズと、を有する光ピックアップ装置において、
前記対物レンズは単玉レンズであり、
前記対物レンズの無限物体での焦点距離ｆ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
2003015031.tif 000009
前記光ピックアップ装置全体が２５℃から３０℃温度上昇した時の前記対物レンズの収差をδＷｔｅｍｐ、対物レンズの像高Ｙ＝０．０２ｍｍにおける収差をδＷｈｅｉｇｈｔとした場合に、
2003015031.tif 000010
であることを特徴とする光ピックアップ装置。
【請求項１６】
前記対物レンズはプラスチック材料で構成されることを特徴とする請求項１５に記載の光ピックアップ装置。
【請求項１７】
前記対物レンズは両面非球面で構成されることを特徴とする請求項１５又は１６に記載の光ピックアップ装置。
【請求項１８】
前記対物レンズにおいて、光情報記録媒体側の前記開口数ＮＡ、前記光源の波長λ、温度１℃上昇時の対物レンズ屈折率の変化量ｄｎ／ｄＴ、及び結像倍率ｍの値が、それぞれ以下の式を満たすことを特徴とする請求項１５乃至１７のいずれかに記載の光ピックアップ装置。
2003015031.tif 000011
【請求項１９】
前記対物レンズの軸上厚さｄが、
０．４ ＜ ｄ／ｆ ＜ １．５                                  （１０）
を満たすことを特徴とする請求項１５乃至１８のいずれかに記載の光ピックアップ装置。
【請求項２０】
波長λの光源と、前記光源からの光束を光情報記録媒体に結像することで情報の記録及び／又は再生を行うようになっている対物レンズと、を有する光ピックアップ装置において、
前記対物レンズは単玉レンズであり、
前記対物レンズの無限物体での焦点距離ｆ、前記対物レンズの軸上厚さｄ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
2003015031.tif 000012
前記光ピックアップ装置全体が２５℃から３０℃温度上昇した時の前記対物レンズの収差をδＷｔｅｍｐ、対物レンズの像高Ｙ＝０．００２ｍｍにおける収差をδＷｈｅｉｇｈｔとした場合に、
2003015031.tif 000013
であることを特徴とする光ピックアップ装置。
【請求項２１】
波長λの光源と、前記光源からの光束を光情報記録媒体に結像することで情報の記録及び／又は再生を行うようになっている対物レンズと、を有する光ピックアップ装置において、
前記対物レンズは単玉レンズであり、
前記対物レンズの無限物体での焦点距離ｆ、前記対物レンズの軸上厚さｄ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
2003015031.tif 000014
前記光ピックアップ装置全体が２５℃から３０℃温度上昇した時の前記対物レンズの収差をδＷｔｅｍｐ、対物レンズの像高Ｙ＝０．００２ｍｍにおける収差をδＷｈｅｉｇｈｔとした場合に、
2003015031.tif 000015
であることを特徴とする光ピックアップ装置。
【請求項２２】
前記光源波長が長波長側にシフトした際に、球面収差をアンダーに補正する回折構造を設けたことを特徴とする請求項２１に記載の光ピックアップ装置。
【請求項２３】
以下の式を満足することを特徴とする請求項２２に記載の光ピックアップ装置。
2003015031.tif 000016
【請求項２４】
前記対物レンズの光源側の面の近軸曲率半径をｒ１、前記対物レンズの波長λにおける屈折率をｎとすると
０．３ ＜ ｒ１／（ｎ（１−ｍ）ｆ） ＜ ０．５                （２８）
を満たすことを特徴とする請求項１５乃至２３のいずれかに記載の光ピックアップ装置。
【請求項２５】
前記対物レンズの光源側の面は、前記開口数ＮＡの最外光線が交わる位置から光軸に対して外方に、前記対物レンズのふち厚が厚くなるような繋ぎ領域を設けたことを特徴とする請求項１５乃至２４のいずれかに記載の光ピックアップ装置。
【請求項２６】
前記対物レンズの光源側の面は、前記開口数ＮＡの最外光線が交わる位置よりも光軸に対して外方の位置の更に外側に、前記対物レンズのふち厚が厚くなるような繋ぎ領域を設けたことを特徴とする請求項１５乃至２５のいずれかに記載の光ピックアップ装置。
【請求項２７】
前記繋ぎ領域は、光軸方向に段差を設けたことを特徴とする請求項２５又は２６に記載の光ピックアップ装置。
【請求項２８】
前記繋ぎ領域の光軸に直交する面に対する角度と、前記繋ぎ領域を設けない場合における非球面形状の光軸に直交する面に対する角度との差が２０度以内であることを特徴とする請求項２５乃至２７のいずれかに記載の光ピックアップ装置。
【請求項２９】
波長λの光源と、前記光源からの光束を光情報記録媒体に結像することで情報の記録及び／又は再生を行なうようになっている対物レンズと、を有する光情報記録再生装置において、
前記対物レンズは単玉レンズであり、
前記対物レンズの無限物体での焦点距離ｆ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
2003015031.tif 000017
前記光情報記録再生装置全体が２５℃から３０℃温度上昇した時の前記対物レンズの収差をδＷｔｅｍｐ、対物レンズの像高Ｙ＝０．０２ｍｍにおける収差をδＷｈｅｉｇｈｔとした場合に、
2003015031.tif 000018
であることを特徴とする光情報記録再生装置。
【請求項３０】
前記対物レンズはプラスチック材料で構成されることを特徴とする請求項２９に記載の光情報記録再生装置。
【請求項３１】
前記対物レンズは両面非球面で構成されることを特徴とする請求項２９又は３０に記載の光情報記録再生装置。
【請求項３２】
前記対物レンズにおいて、光情報記録媒体側の前記開口数ＮＡ、前記光源の波長λ、温度１℃上昇時の対物レンズ屈折率の変化量ｄｎ／ｄＴ、及び結像倍率ｍの値が、それぞれ以下の式を満たすことを特徴とする請求項２９乃至３１のいずれかに記載の光情報記録再生装置。
2003015031.tif 000019
【請求項３３】
前記対物レンズの軸上厚さｄが、
０．４ ＜ ｄ／ｆ ＜ １．５                                  （１０）
を満たすことを特徴とする請求項２９乃至３２のいずれかに記載の光情報記録再生装置。
【請求項３４】
波長λの光源と、前記光源からの光束を光情報記録媒体に結像することで情報の記録及び／又は再生を行うようになっている対物レンズと、を有する光情報記録再生装置において、
前記対物レンズは単玉レンズであり、
前記対物レンズの無限物体での焦点距離ｆ、前記対物レンズの軸上厚さｄ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
2003015031.tif 000020
前記光情報記録再生装置全体が２５℃から３０℃温度上昇した時の前記対物レンズの収差をδＷｔｅｍｐ、対物レンズの像高Ｙ＝０．００２ｍｍにおける収差をδＷｈｅｉｇｈｔとした場合に、
2003015031.tif 000021
であることを特徴とする光情報記録再生装置。
【請求項３５】
波長λの光源と、前記光源からの光束を光情報記録媒体に結像することで情報の記録及び／又は再生を行うようになっている対物レンズと、を有する光情報記録再生装置において、
前記対物レンズは単玉レンズであり、
前記対物レンズの無限物体での焦点距離ｆ、前記対物レンズの軸上厚さｄ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
2003015031.tif 000022
前記光情報記録再生装置全体が２５℃から３０℃温度上昇した時の前記対物レンズの収差をδＷｔｅｍｐ、対物レンズの像高Ｙ＝０．００２ｍｍにおける収差をδＷｈｅｉｇｈｔとした場合に、
2003015031.tif 000023
であることを特徴とする光情報記録再生装置。
【請求項３６】
前記光源波長が長波長側にシフトした際に、球面収差をアンダーに補正する回折構造を設けたことを特徴とする請求項３５に記載の光情報記録再生装置。
【請求項３７】
以下の式を満足することを特徴とする請求項３６に記載の光情報記録再生装置。
2003015031.tif 000024
【請求項３８】
前記対物レンズの光源側の面の近軸曲率半径をｒ１、前記対物レンズの波長λにおける屈折率をｎとすると
０．３ ＜ ｒ１／（ｎ（１−ｍ）ｆ） ＜ ０．５                （２８）
を満たすことを特徴とする請求項２９乃至３７のいずれかに記載の光情報記録再生装置。
【請求項３９】
前記対物レンズの光源側の面は、前記開口数ＮＡの最外光線が交わる位置から光軸に対して外方に、前記対物レンズのふち厚が厚くなるような繋ぎ領域を設けたことを特徴とする請求項２９乃至３８のいずれかに記載の光情報記録再生装置。
【請求項４０】
前記対物レンズの光源側の面は、前記開口数ＮＡの最外光線が交わる位置よりも光軸に対して外方の位置の更に外側に、前記対物レンズのふち厚が厚くなるような繋ぎ領域を設けたことを特徴とする請求項２９乃至３９のいずれかに記載の光情報記録再生装置。
【請求項４１】
前記繋ぎ領域は、光軸方向に段差を設けたことを特徴とする請求項３９又は４０に記載の光情報記録再生装置。
【請求項４２】
前記繋ぎ領域の光軸に直交する面に対する角度と、前記繋ぎ領域を設けない場合における非球面形状の光軸に直交する面に対する角度との差が２０度以内であることを特徴とする請求項３９乃至４１のいずれかに記載の光情報記録再生装置。
【手続補正２】
【補正対象書類名】明細書
【補正対象項目名】００１１
【補正方法】変更
【補正の内容】
【００１１】
【課題を解決するための手段】
請求項１に記載の光ピックアップ装置用の対物レンズは、波長λの光源と、前記光源からの光束を光情報記録媒体に結像することで情報の記録及び／又は再生を行なうようになっている対物レンズと、を有する光ピックアップ装置用の対物レンズにおいて、
前記対物レンズは単玉レンズであり、
前記対物レンズの無限物体での焦点距離ｆ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
０．１ｍｍ＜ｆ＜１ｍｍ                                       （１）
０．５０＜ＮＡ＜０．９０                                      （２）
３５０ｎｍ＜λ＜８５０ｎｍ                                    （３）
１／１０ ＜ ｜ｍ｜＜ １／３                                   （４）
０．０ ＜（（１−ｍ）ＮＡ）4・ｆ・｜ｄｎ／ｄＴ｜／λ ＜ ０．２
（５）
前記光ピックアップ装置全体が２５℃から３０℃温度上昇した時の前記対物レンズの収差をδＷｔｅｍｐ、対物レンズの像高Ｙ＝０．０２ｍｍにおける収差をδＷｈｅｉｇｈｔとした場合に、
０．０λｒｍｓ＜ δＷｔｅｍｐ＋δＷｈｅｉｇｈｔ ＜ ０．０７λｒｍｓ
（６）
であることを特徴とする。
【手続補正３】
【補正対象書類名】明細書
【補正対象項目名】００１７
【補正方法】変更
【補正の内容】
【００１７】
請求項６に記載の光ピックアップ装置用の対物レンズは、波長λの光源と、前記光源からの光束を光情報記録媒体に結像することで情報の記録及び／又は再生を行うようになっている対物レンズと、を有する光ピックアップ装置用の対物レンズにおいて、
前記対物レンズは単玉レンズであり、
前記対物レンズの無限物体での焦点距離ｆ、前記対物レンズの軸上厚さｄ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
０．１ｍｍ＜ｆ＜１ｍｍ                                    （１１）
０．７０＜ＮＡ＜０．９０                                  （１２）
３５０ｎｍ＜λ＜８５０ｎｍ                                （１３）
−１／５＜ｍ＜−１／１０                                  （１４）
０．０≦（（１−ｍ）ＮＡ）4・ｆ・｜ｄｎ／ｄＴ│／λ＜０．０１
（１５）
１．２＜ｄ／ｆ＜１．７                                    （１６）
前記光ピックアップ装置全体が２５℃から３０℃温度上昇した時の前記対物レンズの収差をδＷｔｅｍｐ、対物レンズの像高Ｙ＝０．００２ｍｍにおける収差をδＷｈｅｉｇｈｔとした場合に、
０．０λｒｍｓ＜δＷｔｅｍｐ＋δＷｈｅｉｇｈｔ＜０．０７λｒｍｓ
（１８）
であることを特徴とする。
【手続補正４】
【補正対象書類名】明細書
【補正対象項目名】００１９
【補正方法】変更
【補正の内容】
【００１９】
請求項７に記載の光ピックアップ装置用の対物レンズは、波長λの光源と、前記光源からの光束を光情報記録媒体に結像することで情報の記録及び／又は再生を行うようになっている対物レンズと、を有する光ピックアップ装置用の対物レンズにおいて、
前記対物レンズは単玉レンズであり、
前記対物レンズの無限物体での焦点距離ｆ、前記対物レンズの軸上厚さｄ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
０．１ｍｍ＜ｆ＜１ｍｍ                                    （１９）
０．７０＜ＮＡ＜０．９０                                  （２０）
３５０ｎｍ＜λ＜８５０ｎｍ                                （２１）
−１／５＜ｍ＜−１／１０                                    （２２）
０．０１≦（（１−ｍ）ＮＡ）4・ｆ・｜ｄｎ／ｄＴ│／λ＜０．１１
（２３）
１．２＜ｄ／ｆ＜１．７                                    （２４）
前記光ピックアップ装置全体が２５℃から３０℃温度上昇した時の前記対物レンズの収差をδＷｔｅｍｐ、対物レンズの像高Ｙ＝０．００２ｍｍにおける収差をδＷｈｅｉｇｈｔとした場合に、
０．０λｒｍｓ＜δＷｔｅｍｐ＋δＷｈｅｉｇｈｔ＜０．０７λｒｍｓ
（２５）
であることを特徴とする。
【手続補正５】
【補正対象書類名】明細書
【補正対象項目名】００３１
【補正方法】変更
【補正の内容】
【００３１】
請求項１５に記載の光ピックアップ装置は、波長λの光源と、前記光源からの光束を光情報記録媒体に結像することで情報の記録及び／又は再生を行なうようになっている対物レンズと、を有する光ピックアップ装置において、
前記対物レンズは単玉レンズであり、
前記対物レンズの無限物体での焦点距離ｆ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
０．１ｍｍ＜ｆ＜１ｍｍ                                       （１）
０．５０＜ＮＡ＜０．９０                                      （２）
３５０ｎｍ＜λ＜８５０ｎｍ                                    （３）
１／１０ ＜ ｜ｍ｜＜ １／３                                   （４）
０．０ ＜（（１−ｍ）ＮＡ）4・ｆ・｜ｄｎ／ｄＴ｜／λ ＜ ０．２
（５）
前記光ピックアップ装置全体が２５℃から３０℃温度上昇した時の前記対物レンズの収差をδＷｔｅｍｐ、対物レンズの像高Ｙ＝０．０２ｍｍにおける収差をδＷｈｅｉｇｈｔとした場合に、
０．０λｒｍｓ＜ δＷｔｅｍｐ＋δＷｈｅｉｇｈｔ ＜ ０．０７λｒｍｓ
（６）
であることを特徴とする。本発明の光ピックアップ装置は、請求項１に記載の発明と同様な作用効果を奏する。
【手続補正６】
【補正対象書類名】明細書
【補正対象項目名】００３６
【補正方法】変更
【補正の内容】
【００３６】
請求項２０に記載の光ピックアップ装置は、波長λの光源と、前記光源からの光束を光情報記録媒体に結像することで情報の記録及び／又は再生を行うようになっている対物レンズと、を有する光ピックアップ装置において、
前記対物レンズは単玉レンズであり、
前記対物レンズの無限物体での焦点距離ｆ、前記対物レンズの軸上厚さｄ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
０．１ｍｍ＜ｆ＜１ｍｍ                                    （１１）
０．７０＜ＮＡ＜０．９０                                  （１２）
３５０ｎｍ＜λ＜８５０ｎｍ                                （１３）
−１／５＜ｍ＜−１／１０                                  （１４）
０．０≦（（１−ｍ）ＮＡ）4・ｆ・｜ｄｎ／ｄＴ│／λ＜０．０１
（１５）
１．２＜ｄ／ｆ＜１．７                                    （１６）
前記光ピックアップ装置全体が２５℃から３０℃温度上昇した時の前記対物レンズの収差をδＷｔｅｍｐ、対物レンズの像高Ｙ＝０．００２ｍｍにおける収差をδＷｈｅｉｇｈｔとした場合に、
０．０λｒｍｓ＜δＷｔｅｍｐ＋δＷｈｅｉｇｈｔ＜０．０７λｒｍｓ
（１８）
であることを特徴とする。本発明の光ピックアップ装置は、請求項６に記載の発明と同様な作用効果を奏する。
【手続補正７】
【補正対象書類名】明細書
【補正対象項目名】００３７
【補正方法】変更
【補正の内容】
【００３７】
請求項２１に記載の光ピックアップ装置は、波長λの光源と、前記光源からの光束を光情報記録媒体に結像することで情報の記録及び／又は再生を行うようになっている対物レンズと、を有する光ピックアップ装置において、
前記対物レンズは単玉レンズであり、
前記対物レンズの無限物体での焦点距離ｆ、前記対物レンズの軸上厚さｄ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
０．１ｍｍ＜ｆ＜１ｍｍ                                    （１９）
０．７０＜ＮＡ＜０．９０                                  （２０）
３５０ｎｍ＜λ＜８５０ｎｍ                                （２１）
−１／５＜ｍ＜−１／１０                                    （２２）
０．０１≦（（１−ｍ）ＮＡ）4・ｆ・｜ｄｎ／ｄＴ│／λ＜０．１１
（２３）
１．２＜ｄ／ｆ＜１．７                                    （２４）
前記光ピックアップ装置全体が２５℃から３０℃温度上昇した時の前記対物レンズの収差をδＷｔｅｍｐ、対物レンズの像高Ｙ＝０．００２ｍｍにおける収差をδＷｈｅｉｇｈｔとした場合に、
０．０λｒｍｓ＜δＷｔｅｍｐ＋δＷｈｅｉｇｈｔ＜０．０７λｒｍｓ
（２５）
であることを特徴とする。本発明の光ピックアップ装置は、請求項７に記載の発明と同様な作用効果を奏する。
【手続補正８】
【補正対象書類名】明細書
【補正対象項目名】００４５
【補正方法】変更
【補正の内容】
【００４５】
請求項２９に記載の光情報記録再生装置は、波長λの光源と、前記光源からの光束を光情報記録媒体に結像することで情報の記録及び／又は再生を行なうようになっている対物レンズと、を有する光情報記録再生装置において、
前記対物レンズは単玉レンズであり、
前記対物レンズの無限物体での焦点距離ｆ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
０．１ｍｍ＜ｆ＜１ｍｍ                                       （１）
０．５０＜ＮＡ＜０．９０                                      （２）
３５０ｎｍ＜λ＜８５０ｎｍ                                    （３）
１／１０ ＜ ｜ｍ｜＜ １／３                                   （４）
０．０ ＜（（１−ｍ）ＮＡ）4・ｆ・｜ｄｎ／ｄＴ｜／λ ＜ ０．２
（５）
前記光情報記録再生装置全体が２５℃から３０℃温度上昇した時の前記対物レンズの収差をδＷｔｅｍｐ、対物レンズの像高Ｙ＝０．０２ｍｍにおける収差をδＷｈｅｉｇｈｔとした場合に、
０．０λｒｍｓ＜ δＷｔｅｍｐ＋δＷｈｅｉｇｈｔ ＜ ０．０７λｒｍｓ
（６）
であることを特徴とする。本発明の光情報記録再生装置は、請求項１に記載の発明と同様な作用効果を奏する。
【手続補正９】
【補正対象書類名】明細書
【補正対象項目名】００５０
【補正方法】変更
【補正の内容】
【００５０】
請求項３４に記載の光情報記録再生装置は、波長λの光源と、前記光源からの光束を光情報記録媒体に結像することで情報の記録及び／又は再生を行うようになっている対物レンズと、を有する光情報記録再生装置において、
前記対物レンズは単玉レンズであり、
前記対物レンズの無限物体での焦点距離ｆ、前記対物レンズの軸上厚さｄ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
０．１ｍｍ＜ｆ＜１ｍｍ                                    （１１）
０．７０＜ＮＡ＜０．９０                                  （１２）
３５０ｎｍ＜λ＜８５０ｎｍ                                （１３）
−１／５＜ｍ＜−１／１０                                  （１４）
０．０≦（（１−ｍ）ＮＡ）4・ｆ・｜ｄｎ／ｄＴ│／λ＜０．０１
（１５）
１．２＜ｄ／ｆ＜１．７                                    （１６）
前記光情報記録再生装置全体が２５℃から３０℃温度上昇した時の前記対物レンズの収差をδＷｔｅｍｐ、対物レンズの像高Ｙ＝０．００２ｍｍにおける収差をδＷｈｅｉｇｈｔとした場合に、
０．０λｒｍｓ＜δＷｔｅｍｐ＋δＷｈｅｉｇｈｔ＜０．０７λｒｍｓ
（１８）
であることを特徴とする。本発明の光情報記録再生装置は、請求項６に記載の発明と同様な作用効果を奏する。
【手続補正１０】
【補正対象書類名】明細書
【補正対象項目名】００５１
【補正方法】変更
【補正の内容】
【００５１】
請求項３５に記載の光情報記録再生装置は、波長λの光源と、前記光源からの光束を光情報記録媒体に結像することで情報の記録及び／又は再生を行うようになっている対物レンズと、を有する光情報記録再生装置において、
前記対物レンズは単玉レンズであり、
前記対物レンズの無限物体での焦点距離ｆ、前記対物レンズの軸上厚さｄ、光情報記録媒体側の開口数ＮＡ、前記光源の波長λ、温度１℃上昇時の対物レンズ屈折率の変化量ｄｎ／ｄＴ、及び結像倍率ｍの値が、それぞれ以下の式を満たすと共に、
０．１ｍｍ＜ｆ＜１ｍｍ                                    （１９）
０．７０＜ＮＡ＜０．９０                                  （２０）
３５０ｎｍ＜λ＜８５０ｎｍ                                （２１）
−１／５＜ｍ＜−１／１０                                    （２２）
０．０１≦（（１−ｍ）ＮＡ）4・ｆ・｜ｄｎ／ｄＴ│／λ＜０．１１
（２３）
１．２＜ｄ／ｆ＜１．７                                    （２４）
前記光情報記録再生装置全体が２５℃から３０℃温度上昇した時の前記対物レンズの収差をδＷｔｅｍｐ、対物レンズの像高Ｙ＝０．００２ｍｍにおける収差をδＷｈｅｉｇｈｔとした場合に、
０．０λｒｍｓ＜δＷｔｅｍｐ＋δＷｈｅｉｇｈｔ＜０．０７λｒｍｓ
（２５）
であることを特徴とする。本発明の光情報記録再生装置は、請求項７に記載の発明と同様な作用効果を奏する。